【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
燃焼後装置（１００）であって、
ａ）（使用中に）炉（５００）に連結し、炉の排気ガスが前記燃焼後装置（１００）内に進入することを可能にし、それにより（使用中に）前記装置に入る炉の排気ガスの最上流位置を画定する、炉の煙道入口（１１０）と、
ｂ）入口（１４０）及び出口（１５０）を有し、前記出口（１５０）は、（使用中に）前記装置（１００）を出る、処理された炉の排気ガスの最下流位置を画定し、それによりガスは（使用中に）前記最上流位置と前記最下流位置との間を流れる、燃焼後排気チャンバ（１３０）と、
ｃ）前記炉の煙道入口（１１０）に連結された入口、出口（２２０）、及び冷却要素（２３０）を有する冷却器（２１０）と、
ｄ）前記冷却器（２１０）の前記出口（２２０）に連結された入口、出口（３５０）、及び燃焼後ガス燃料噴射ポート（３４０）を有する混合チャンバであって、前記燃焼後ガス燃料噴射ポートは、前記混合チャンバ入口の下流に配置され、且つ使用中に燃焼後ガス燃料を導入して炉の排気ガスと混合する、混合チャンバ（３３０）と、
ｅ）前記冷却器（２１０）の出口と前記混合チャンバ（３３０）の入口との間に挿置され、前記冷却器（２１０）から前記混合チャンバ（３３０）への前記ガスの流れを実質的に一方向にのみ可能にするよう構成される逆止弁（３２５）と、
ｆ）前記混合チャンバの出口（３５０）に連結された入口（３８０）、及び前記燃焼後排気チャンバの入口（１４０）に連結された出口（３９０）を有する燃焼膨張チャンバ（３６０）と、
ｇ）前記混合チャンバ（３３０）内の前記燃料噴射ポート（３４０）又は前記燃焼膨張チャンバ（３６０）の下流に配置された点火器（７００）と、
ｈ）使用中に、炉の排気ガス及び微粒子を、前記炉の煙道入口（１１０）から前記燃焼後装置（１００）を通して下流へ、そして前記燃焼後排気チャンバの出口（１５０）へ運ぶよう構成された、前記逆止弁（３２５）の上流且つ前記冷却器（２１０）の下流で前記燃焼後装置（１００）に連結されたガス動力システム（３１０）と
を有する燃焼後装置において、
ｉ）前記ガスの流れに垂直であり且つ前記燃焼膨張チャンバ（３６０）の内壁によって境界を画定された燃焼膨張チャンバの断面積は、前記ガスの流れに垂直であり且つ前記混合チャンバ（３３０）の内壁によって画定された混合チャンバの断面積よりも大きく、
ｊ）前記ガスの流れに垂直であり且つ前記燃焼後排気チャンバ（１３０）の内壁によって境界を画定された燃焼後排気チャンバの断面積は、前記混合チャンバの断面積よりも大きい
燃焼後装置。
【請求項２】
前記燃焼後排気チャンバの前記断面積は、前記混合チャンバの前記断面積の少なくとも２倍である、請求項１に記載の燃焼後装置（１００）。
【請求項３】
システム内にさらなる酸素が導入され得ないように、前記炉（５００）と前記排気煙突との間の排気経路が空気から密閉される、請求項１から２までのいずれか一項に記載の燃焼後装置（１００）。
【請求項４】
前記燃焼後ガス燃料噴射ポート（３４０）は、前記チャンバ内に少なくとも１つのノズル（９００，９１０，９２０）を備える、請求項１から３までのいずれか一項に記載の燃焼後装置（１００）。
【請求項５】
前記少なくとも１つのノズル（９００，９１０，９２０）は、使用中に、前記炉の排気ガスの流れ方向に対して少なくとも部分的に径方向に垂直に、燃焼後ガス燃料を旋回させるよう角度づけされる、請求項４に記載の燃焼後装置。
【請求項６】
物質収集チャンバ（４６０）が前記燃焼膨張チャンバ（３６０）と前記燃焼後排気チャンバ（１３０）との間に設置され、前記物質収集チャンバ（４６０）は、ガス通路（１２００）と物質収集容器（１２５０）とを有する、請求項１から５までのいずれか一項に記載の燃焼後装置（１００）。
【請求項７】
前記物質収集容器（１２５０）は、それと密接に関連する少なくとも１つの磁石（１２１０，１２２０，１２３０）を有する、請求項６に記載の燃焼後装置（１００）。
【請求項８】
前記物質収集容器（１２５０）は、前記排気の流れと前記少なくとも１つの電磁石（１２１０，１２２０，１２３０）との間に水トレイ（１２５０）を有する、請求項７に記載の燃焼後装置（１００）。
【請求項９】
燃焼後のプロセスであって、
ａ）炉の排気ガスが燃焼後装置（１００）内へ進入することを可能にする、炉から炉の煙道入口（１１０）を通して炉の排気ガスを供給するステップであって、それにより前記装置に入る炉の排気ガスの最上流位置を画定しているステップと、
ｂ）処理された炉の排気ガスを、燃焼後排気チャンバ（１３０）の出口（１５０）から排出するステップであって、前記燃焼後排気チャンバは入口（１４０）及び前記出口（１５０）を有し、前記出口（１５０）は、前記装置（１００）を出る処理された炉の排気ガスの最下流位置を画定し、それによりガスは、前記最上流位置と前記最下流位置との間を流れるステップと、
ｃ）炉の排気ガスを、前記炉の煙道入口（１１０）からの入口、出口（２２０）、及び冷却要素（２３０）を有する冷却器（２１０）であって、前記炉の排気ガスを冷却する冷却器（２１０）に供給するステップと、
ｄ）冷却された炉の排気ガスを混合チャンバ（３３０）内に供給するステップであって、前記混合チャンバは、前記冷却器（２１０）の前記出口（２２０）に連結された入口、出口、及び前記混合チャンバ入口の下流に配置された燃焼後ガス燃料噴射ポート（３４０）を有し、且つ冷却された炉の排気ガスを燃焼後ガス燃料と混合する、ステップと、
ｅ）ガスに逆止弁（３２５）を通過させることによってガスの逆流を防ぐステップであって、前記逆止弁（３２５）は、前記冷却器（２１０）の出口と前記混合チャンバ（３３０）の入口との間に挿置され、前記冷却器（２１０）から前記混合チャンバ（３３０）への前記ガスの流れを実質的に一方向にのみ可能にするよう構成されている、ステップと、
ｆ）前記混合され冷却された炉の排気ガス及び燃焼後ガス燃料を、燃焼膨張チャンバ（３６０）内に送るステップであって、前記燃焼膨張チャンバは、前記混合チャンバ出口（３５０）に連結された入口（３８０）、及び前記燃焼後排気チャンバの入口（１４０）に連結された出口（３９０）を有している、ステップと、
ｇ）前記混合チャンバ（３３０）内の前記燃料噴射ポート（３４０）又は前記燃焼膨張チャンバ（３６０）の下流に配置された点火器（７００）を使用して、前記混合され冷却された炉の排気ガス及び燃焼後ガス燃料に点火するステップと、
ｈ）ガスを前記炉の煙道入口から前記燃焼後装置（１００）を通して下流へ、そして前記燃焼後排気チャンバの出口（１５０）へ運ぶ、前記逆止弁（３２５）の上流且つ前記冷却器（２１０）の下流で前記燃焼後装置（１００）に連結されたガス動力システム（３１０）を使用することにより、前記燃焼後プロセスにおいて前記ガスを運ぶステップと
を含む燃焼後のプロセスにおいて、
ｉ）前記燃焼する冷却された炉の排気ガス及び燃焼後ガス燃料の混合物は、前記ガスの流れに垂直であり且つ前記混合チャンバ（３３０）の内壁によって画定された混合チャンバの断面積よりも大きい、前記ガスの流れに垂直であり且つ前記燃焼膨張チャンバ（３６０）の内壁によって境界を画定された燃焼膨張チャンバの断面積を有する前記燃焼膨張チャンバによって、前記燃焼膨張チャンバ（３６０）にわたって自由に膨張でき、
ｊ）前記燃焼され冷却された炉の排気ガス及び燃焼後ガス燃料の混合物は、前記混合チャンバの断面積のモードよりも大きい、前記ガスの流れに垂直であり且つ前記燃焼後排気チャンバ（１３０）の内壁によって境界を画定された燃焼後排気チャンバの断面積を有する前記燃焼膨張チャンバによって、前記燃焼膨張チャンバ（３６０）を自由に出ることができる
燃焼後のプロセス。
【請求項１０】
炉の排気ガスは、前記冷却器（２１０）によって３６０Ｋから３９５Ｋの間に冷却される、請求項９に記載の燃焼後のプロセス。